(57)【要約】      （修正有）【課題】低コストで用紙入れの安定的な保持ができる用紙綴じ具を提供する。【解決手段】用紙１を出し入れ可能である複数の用紙入れ２と、各用紙入れの下端辺側に幅方向に間隔を置いて開けてある複数の綴じ孔２ｄと、各綴じ孔に通して複数の用紙入れ２の下端辺側を綴じるための帯状の綴じベルト３と、綴じられた複数の用紙入れの下端辺側を挿脱可能に挟持するための溝状の保持具４とを備えており、保持具４の保持部４ａで用紙入れ２の下端辺側を弾性的に挟持可能である。【選択図】図１
0003152187.tif 000002
【実用新案登録請求の範囲】
【請求項１】
用紙を出し入れ可能である複数の用紙入れと、各用紙入れの一端辺側に幅方向に間隔を置いて開けてある複数の綴じ孔と、各綴じ孔に通して複数の上記用紙入れの一端辺側を綴じるための綴じベルトと、綴じられた複数の用紙入れの一端辺側を挿脱可能に挟持する保持部を有する溝状の保持具とを備えていることを特徴とする用紙綴じ具。
【請求項２】
保持具は、先端部側の保持部が互いに対向側に円弧状に屈曲されかつ間隔を置いて突き合わされていることを特徴とする請求項１記載の用紙綴じ具。
【請求項３】
表表紙と裏表紙と背表紙とからなるファイルカバーを備えており、保持具が上記背表紙の内側に形成されている凹溝内に嵌め込まれ固着されていることを特徴とする請求項１又は請求項２記載の用紙綴じ具。
【請求項４】
表表紙と裏表紙と背表紙とからなるファイルカバーを備えており、保持具が上記背表紙の内側に形成されている凹溝内に嵌め込まれ固着されており、用紙入れにはメニューが印刷されている用紙が出し入れ可能であることを特徴とする請求項１又は請求項２記載の用紙綴じ具。
【請求項５】
各綴じ孔は各用紙入れの一端辺側に１列に配置されていることを特徴とする請求項１乃至請求項４のいずれかに記載の用紙綴じ具。
【請求項６】
各綴じ孔は各用紙入れの一端辺側に２列に配置されていることを特徴とする請求項１乃至請求項４のいずれかに記載の用紙綴じ具。
【考案の詳細な説明】
【技術分野】
【０００１】
この考案は、複数の用紙を着脱可能に綴じることができる用紙綴じ具に関するものである。
【背景技術】
【０００２】
複数の用紙を溝状の保持体によって直接又は間接的に着脱可能に綴じる用紙綴じ具の従来技術として、例えば第３０１６９１９号登録実用新案公報に記載のファイル及び特開２００３−３４１２７０号公報に記載のファイル文具（以下、「従来例１」及び「従来例２」という。）が提案されている。
従来例１は、多数の書類を入れる複数の収納袋の積層体の一端面をスライド片に固着して、このスライド片を表紙体のガイドレールに挿脱自在に係合させるものである。
従来例２は、書類を入れるカバーシートを表表紙と裏表紙と背表紙によって構成し、このカバーシートの背側の綴じ部分を外側からコ字形状に形成されているホルダーで挟持するものである。
【先行技術文献】
【特許文献】
【０００３】
【特許文献１】第３０１６９１９号登録実用新案公報
【特許文献２】特開２００３−３４１２７０号公報
【考案の概要】
【考案が解決しようとする課題】
【０００４】
従来例１及び従来例２における課題は下記のとおりである。
従来例１において、用紙入れである複数の収納袋の積層体の一端面をスライド片に固着することは、常に各収納袋の保持状態が安定している利点があるものの、スライド片に固着する構造であるため、製造コストがかかる課題がある。
従来例２において、用紙入れであるカバーシート毎にホルダーを用意する必要があるために、カバーシートが増える毎にホルダーが増えることになり、製造コストがかかる課題がある。
この考案の目的は、低コストによって用紙入れの安定的な保持を図ることにある。
【課題を解決するための手段】
【０００５】
この考案に係る用紙綴じ具は、用紙を出し入れ可能である複数の用紙入れと、各用紙入れの一端辺側に幅方向に間隔を置いて開けてある複数の綴じ孔と、各綴じ孔に通して複数の上記用紙入れの一端辺側を綴じるための綴じベルトと、綴じられた複数の用紙入れの一端辺側を挿脱可能に挟持する保持部を有する溝状の保持具とを備えているものである。
上記保持具は、用紙入れの弾性的な支持を可能にして、着脱を容易するために、先端部側が互いに対向側に円弧状に屈曲されかつ所定間隔を置いて突き合わされている構成の保持部が良い。
上記保持具をファイルの一部として構成し、例えば表表紙と裏表紙と背表紙とからなるファイルカバーにおける上記背表紙の内側に形成されている凹溝内に嵌め込まれ固着されるものであっても良い。このファイルカバーに固着されている保持具に用紙入れを保持し、上記用紙入れにメニューが印刷されている用紙が出し入れ可能とすることにより、ファイルをメニューブックとして利用することができる。
各綴じ孔は各用紙入れの一端辺側に所定方向に向けて１列又は２列若しくは３列以上に配置されている。
【考案の効果】
【０００６】
この考案の用紙綴じ具によれば、綴じベルトによって複数の用紙入れを綴じた状態で保持具に挿入し保持するので、低コストによって用紙入れの安定的な保持を図ることができ、また既存の用紙入れを大幅に設計変更することなく利用することが可能となり、実用性が高い。
【図面の簡単な説明】
【０００７】
【図１】この考案に係る用紙綴じ具を示す一部切欠正面図である。
【図２】この考案に係る用紙綴じ具を分解した状態を示す一部切欠正面図である。
【図３】図１のＩＩＩ−ＩＩＩ線拡大断面図である。
【図４】この考案に係る用紙綴じ具における用紙入れを綴じベルトによって束ねた状態を示す背面図である。
【図５】この考案に係る用紙綴じ具における各用紙入れをその位置をずらして示す縮小正面図である。
【図６】この考案に係る用紙綴じ具における用紙入れを保持具に差し入れる段階を示す正面図である。
【図７】この考案に係る用紙綴じ具をファイルに適用した例を縮小して示す斜視図である。
【図８】この考案に係る用紙綴じ具における保持具をファイルカバーに取り付けている状態を示す拡大側面図である。
【図９】この考案に係る用紙綴じ具の主要部の他の例を示す一部切欠正面図である。
【考案を実施するための形態】
【０００８】
この考案に係る用紙綴じ具の実施形態について説明する。
図１〜図３において、用紙綴じ具Ｆ１は、用紙１を入れるための複数の用紙入れ２と、上記用紙入れの一端辺側（図１下端辺側）を綴じるための綴じベルト３と、用紙入れの一端辺側を挿脱可能に挟持するための保持具４とを備えている。
【０００９】
図１及び図２に示すように、各用紙入れ２は透明プラスチックによって袋状に形成されている。各用紙入れ２は、図２上端側が折り曲げられており、右端辺側が用紙１を差し入れるための開口２ａとなっており、左端辺側及び下端辺側が溶着されている溶着部２ｂ，２ｃとなっている。各用紙入れ２の下端辺側に幅方向に間隔を置いて開けてある複数の綴じ孔２ｄを横一列に並べて配置している。（図５）。
図３〜図５において、各用紙入れ２は重ねられており、各用紙入れの綴じ孔２ｄは重ねられている方向（厚み方向）に互いに対向して一つの貫通孔を形成している。
【００１０】
綴じベルト３はプラスチック部材によって帯状又は紐状に形成されており、図２に示す例では帯状のものが用いられている。図２〜図４に示すように、綴じベルト３は用紙入れ２の幅の長さに対応しており、重ねられている各用紙入れ２の綴じ孔２ｄに通して、各用紙入れの下端辺側を束ねている。すなわち、綴じベルト３は、これを用紙入れ２の幅方向の一端側（左端側又は右端側）から他端側に向けて綴じ孔２ｄに通し、重ねられている用紙入れをそれらの下端辺側を綴じることによって一体化している。
【００１１】
図１〜図３に示すように、保持具４はプラスチック部材によって溝状に形成されている。保持具４は、用紙入れ２の幅方向の長さと同じ又は少し長く設定されている。保持具４の先端部側（上端開口部側）は互いに内側に向けて接近しながら、図３に示す例では円弧状に屈曲されて、所定の間隙を置いて突き合わされている保持部４ａである。保持具４の保持部４ａ側は内外の各両側に弾性変形可能である。
【００１２】
用紙入れ２を保持具４へ取り付ける方法について説明する。
まず、綴じベルト３を重ねられている用紙入れ２の綴じ孔２ｄに通して用紙入れの下端辺側を綴じて一体化する。
ついで、図６に示すように、保持具４の長さ方向の一側端開口に束ねられた用紙入れ２の下辺側端面を合わせてから、保持具を矢印方向に移動させて、用紙入れの下辺側端面を保持具内に挿入して、この用紙入れを保持具の長さ方向に一側方端から他側方端までスライドさせる。スライド時には、保持具４の保持部４ａが弾性変形されるから、用紙入れ２の下端辺側が上記開口端である保持部間で弾性的に挟持される（図３）。
この結果、用紙入れ２はその下端辺及び綴じベルト３が保持具４内に納められた状態でこの保持具の保持部４ａに挟まれた状態で保持される。
保持状態にある各用紙入れ２は綴じベルト３によって束ねられているので、それぞれの用紙入れが保持具４から位置ずれし、また離脱することが抑制される。用紙入れ２は、その下端辺側が保持具４の先端側の保持部４ａによって弾性的に挟持されるので、確実に保持される。
保持状態にある各用紙入れ２を保持具４から外すには、保持具４の保持部４ａの弾性保持力に抗して用紙入れを保持具の長さ方向に一側方端から他側方端まで引っ張りながらスライドさせる。
このように、各用紙入れ２は一体化された状態で保持具４に対して着脱可能となる。  
【００１３】
図７に示す用紙綴じ具Ｆ２はファイルに適用した例である。
用紙綴じ具Ｆ２の構成はファイルカバー５を備えている点を除いて図１に示す用紙綴じ具Ｆ１のそれと共通している。このため、用紙綴じ具Ｆ２の特徴のみを説明し、必要に応じて共通する構成部分の説明をする。そして説明上の符号に関して、用紙綴じ具Ｆ１と対応する用紙綴じ具Ｆ２の構成部分に用いる符号は用紙綴じ具Ｆ１の符号をそのまま使用している。
【００１４】
用紙綴じ具Ｆ２において、ファイルカバー５は、図７及び図８に示すように表表紙５ａ、裏表紙５ｂ及び背表紙５ｃから形成されている。背表紙５ｃの内側は凹溝５ｃ１となっている。凹溝５ｃ１内には全長に亘って保持具４が嵌め込まれ、固着されている。
保持具４内には、綴じベルト（図示せず。）によって束ねられた用紙入れ２の下端辺側が挿入かつ離脱可能に保持されている。
保持具４に対する用紙入れ２の取付け及び取り外し方法は上述した用紙綴じ具Ｆ１のそれらの方法と同様であるので、詳細説明を省略する。
用紙綴じ具Ｆ２は、文房具やアルバムなどとして利用することができる他に、用紙入れ２に入れる用紙（図示せず。）が提供する各種の料理や飲料物などのメニューを印刷したものであれば、メニューブックとしても利用することができる。
【００１５】
図示する用紙綴じ具Ｆ１，Ｆ２においては、綴じベルト３によって複数の用紙入れ１を綴じた状態で保持具４に挿入し保持するので、用紙入れ２の安定的な保持を図ることができ、特に、頻繁に各用紙入れを開閉したり、用紙１の出し入れ又は差し替えをする場合でも、各用紙入れの位置ずれや外れがしにくい効果がある。
このよう効果は、多数の者が頻繁に用紙入れ２を開閉するメニューブックのような用紙綴じ具Ｆ２にあっては顕著となる。また各用紙入れ２は綴じ孔２ｄを通じて束ねるので、既存の用紙入れを大幅に設計変更することなく利用することが可能となり、実用性が高い。
【００１６】
用紙綴じ具Ｆ１，Ｆ２において、用紙入れ２の大きさや形状、開口２ａの配置位置、綴じ孔２ｄの大きさ、設ける数及び設ける配置間隔、配置する列の数、綴じベルト３の幅や長さ、保持具４の断面形状や深さなどについて図示の例に限定されない。
例えば、図９に示す用紙綴じ具の主要部を構成している用紙入れ１２及び綴じベルト１３の例にあっては、用紙１１を入れる用紙入れ１２の開口１２ａを上側に開け、下端辺側には複数（図では６個）の綴じ孔１２ｄを上下に複数列（図では上下２列）に配置し、各列の各綴じ孔に２本の綴じベルト１３をそれぞれ通している。１２ｂ及び１２ｃは溶着部である。
上下２列の各綴じ孔１２ｄは、図示の例では上下で隣接しているもの同士がそれぞれ対向位置関係にあるが、例えば上列の各綴じ孔の間に下列の各綴じ孔を配置して位置をずらすようにしても良い。
使用法として、２本の綴じベルト１３を用いて用紙入れ１２を束ねる他に、上列及び下列の綴じ孔１２ｄのいずれか一方に１本の綴じベルト１３のみを通して束ねても良い。
この例では、用紙入れ１２の下端辺側の結束の強化を図るのに有効である。
【符号の説明】
【００１７】
Ｆ１，Ｆ２            用紙綴じ具
１，１１              用紙
２，１２              用紙入れ
２ｄ，１２ｄ          綴じ孔
３，１３              綴じベルト
４                    保持具
４ａ                  保持具の保持部
５                    ファイルカバー
５ａ                  表表紙
５ｂ                  裏表紙
５ｃ                  背表紙
５ｃ１                凹溝
【図１】
0003152187.tif 000003
【図２】
0003152187.tif 000004
【図３】
0003152187.tif 000005
【図４】
0003152187.tif 000006
【図５】
0003152187.tif 000007
【図６】
0003152187.tif 000008
【図７】
0003152187.tif 000009
【図８】
0003152187.tif 000010
【図９】
0003152187.tif 000011